(57)【特許請求の範囲】
【請求項１】
花を生ける水受けカップを挿入する貫通孔を形成したベース板と、該ベース板の上面に移動可能に支持され、前記水受けカップと別の水受けカップを挿入する受け孔を形成した受け板とを備えることを特徴とする花立て。
【請求項２】
前記受け板は、前記ベース板に軸部を介して旋回移動可能に支持されていることを特徴とする請求項１に記載の花立て。
【請求項３】
前記受け板は、前記ベース板に蝶番を介して回動可能に支持されていることを特徴とする請求項１に記載の花立て。
【請求項４】
前記受け板は、その端面が前記ベース板の端面と当接することで、水平状態で位置決めされることを特徴とする請求項３に記載の花立て。
【請求項５】
前記水受けカップは上下方向に重ねることができることを特徴とする請求項１〜４のいずれかに記載の花立て。
【請求項６】
前記ベース板は、基台となる本体ブロックの上部に固定され、該本体ブロックは前記貫通孔に連続して前記水受けカップが挿入される上部開口を有することを特徴とする請求項１〜５のいずれかに記載の花立て。
【請求項７】
前記ベース板は、その下面と前記本体ブロックの上面との間に接着剤が注入されて前記本体ブロックに固定されることを特徴とする請求項６に記載の花立て。
【発明の詳細な説明】
【技術分野】
【０００１】
本発明は、墓用等の花立てに係り、特に、必要に応じて多数の花を生けることができる花立てに関する。
【背景技術】
【０００２】
従来、この種の墓用の花立てとしては、下段の石材ブロックの上に支持軸を立て、該支持軸の周りに回動できるように上段石材ブロックを支持し、上段および下段の各ブロックの上面に花を生けるための穴を穿設してある。そして、該支持軸の途中につばを有しており、そのつばより上部の部分を上段ブロックの中に挿入固定し、つばより下の部分を、下段ブロックに挿入固定したスリーブの中に挿入し、該スリーブ側の該つばと該支持軸側の該つばが互に当接するように構成している（例えば、特許文献１参照）。
【先行技術文献】
【特許文献】
【０００３】
【特許文献１】特開２００６−５７２３８号公報
【発明の概要】
【発明が解決しようとする課題】
【０００４】
ところで、前記構造の墓用の花立ては、下段の石材ブロックの上に上段の石材ブロックを重ね、下段の石材ブロックに対して上段の石材ブロックを回転させて下段の石材ブロックの孔に対して上段の石材ブロックの穴を露出させ、それぞれの穴に花を生けるように構成されているため、回転させる支持軸に過大な負荷がかかり、軸部分に損傷が発生する恐れがあった。また、回転させる上段の石材ブロックの重量が大きいため、回転させるのに多大な労力が必要となっている。さらに、回動範囲を規制するための構成が複雑となっていた。
【０００５】
本発明は、このような問題に鑑みてなされたものであって、その目的とするところは、墓参りが重なったときでも、持参した花束を無駄なく生けることができる花立てを提供することにある。また、多数の花束を少ない労力で容易に生けることができ、簡単な構成であり、故障が少なく容易に操作できる花立てを提供することにある。
【課題を解決するための手段】
【０００６】
前記目的を達成すべく、本発明に係る花立ては、花を生ける水受けカップを挿入する貫通孔を形成したベース板と、該ベース板の上面に移動可能に支持され、前記水受けカップと別の水受けカップを挿入する受け孔を形成した受け板とを備えることを特徴としている。ベース板や受け板は錆びにくいステンレス鋼等の板材で形成されると好ましい。
【０００７】
前記のごとく構成された本発明の花立ては、ベース板の上面に移動可能に備えられた受け板を移動させ、ベース板の貫通孔に挿入された水受けカップと、移動された受け板の受け孔に挿入支持された水受けカップの両方に花束を生けることができるため、複数の花束を無駄にすることなく供えることができる。移動される受け板は板材で軽量であるため、受け板の移動を軽い労力で行うことができ、移動機構が簡単な構成で故障等の発生を少なくすることができる。
【０００８】
また、本発明に係る花立ての好ましい具体的な他の態様としては、前記受け板は、前記ベース板に軸部を介して旋回移動可能に支持されていることを特徴とし、前記受け板は、前記ベース板に蝶番を介して回動可能に支持されていることを特徴としている。このように構成された花立てでは、ベース板に対して軸を中心として受け板を旋回させることで、複数の水受けカップを使用して複数の花束を供えることができる。また、ベース板に対して蝶番を介して受け板を回動させることで、複数の水受けカップを使用して複数の花束を供えることができる。
【０００９】
前記受け板は、その端面が前記ベース板の端面と当接することで、水平状態で位置決めされることが好ましい。この構成によれば、蝶番を介して回動した受け板は、その端面が下方に位置するベース板の端面と当接して回動範囲が規制され、水平状態に保持することができるため、回動範囲を規制するためのストッパ等が不要であり、構成を簡単にすることができる。
【００１０】
また、前記水受けカップは上下方向に重ねることができることが好ましい。このように構成された花立てでは、１つの水受けカップのみを使用して花束を生けるときには、水受けカップを重ねてベース板の貫通孔に挿入することができ、使用しない水受けカップの紛失を防止でき、別の場所にバラバラに設置しないため見栄えを向上させることができる。
【００１１】
さらに、前記ベース板は、基台となる本体ブロックの上部に固定され、該本体ブロックは前記貫通孔に連続して前記水受けカップが挿入される上部開口を有することが好ましい。そして、前記ベース板は、その下面と前記本体ブロックの上面との間に接着剤が注入されて前記本体ブロックに固定されることが好ましい。この構成によれば、例えば既存の上部開口を有する花立て等のブロックの上部に、前記したベース板を固定し、受け板を移動させて、複数の花束を生けることができ、ベース板を接着剤で容易に固定することができる。
【発明の効果】
【００１２】
本発明の花立ては、花束を生ける水受けカップを複数重ねておき、必要に応じてベース板から受け板を移動させ、移動させた受け板の受け孔に水受けカップを挿入して複数の水受けカップに花束を生けることができる。また、受け板を移動させる構成が簡単であり、少ない労力で容易に移動させることができる。
【図面の簡単な説明】
【００１３】
【図１】本発明に係る花立ての一実施形態を示し、花立てと本体ブロックを分離した状態の正面図。
【図２】図１の花立ての平面図。
【図３】図２のＡ−Ａ線に沿う本体ブロックを結合した状態の断面図。
【図４】図３のＢ部の詳細を示し、（ａ）は分解状態の断面図、（ｂ）は組立てた状態の断面図。
【図５】図１〜４の花立ての動作状態を示す断面図。
【図６】図１〜４の花立ての使用状態を示す斜視図。
【図７】本発明に係る花立ての他の実施形態の平面図。
【図８】図７の正面図。
【図９】図８のＣ部に示す蝶番を示し、（ａ）は受け板を重ねた状態、（ｂ）は開いた状態の断面図。
【図１０】図８のＤ部に示す蝶番を示し、（ａ）は受け板を重ねた状態、（ｂ）は開いた状態の断面図。
【図１１】図７〜１０の花立ての使用状態を示す斜視図。
【図１２】本発明に係る花立てのさらに他の実施形態の使用状態を示す斜視図。
【図１３】図１２の２枚の受け板を重ねた状態の要部正面図。
【図１４】本発明に係る花立てを墓に設置した状態を示す斜視図。
【発明を実施するための形態】
【００１４】
以下、本発明に係る花立ての一実施形態を図面に基づき詳細に説明する。図１は、本実施形態に係る花立ての正面図であり、下方に本体ブロックを分離した状態を示すと共に、水受けカップを支持する受け板を旋回させて挿入した別の水受けカップを二点鎖線で示しており、図２は、図１の平面図であり、図１と同様に別の水受けカップを二点鎖線で示しており、図３は、図２の花立ての本体ブロックを結合した状態のＡ−Ａ線断面図、図４は、受け板を旋回させる移動機構部分の詳細図である。
【００１５】
図１〜４において、本実施形態に係る花立て１は、ベース板２と、このベース板２に移動可能に支持される受け板３とを備えており、ベース板２には花を生ける水受けカップ４を挿入する貫通孔２ａが形成されている。また、受け板３にも、水受けカップ４と別の水受けカップ４を挿入するための受け孔３ａが形成されている。ベース板２と受け板３とは軸部５を中心として旋回移動ができるように構成されている。花立て１はベース板２の貫通孔２ａと、受け板３の受け孔３ａとを貫通する筒状部を有する筒体６を備えており、この筒体の内部に水受けカップ４が挿入して支持される。
【００１６】
花立て１は、ベース板２が基台となる本体ブロック７の上部に固定され、本体ブロック７にはベース板２の貫通孔２ａに連続して水受けカップ４が挿入される上部開口８が形成されている。ベース板２は、その下面と本体ブロック７の上面との間に接着剤が注入されて本体ブロック７の上部に接着固定され、全体としてブロック付きの花立てとなる。本体ブロック７は本実施形態では石製である。本体ブロック７に形成された上部開口８は、ブロックの上面から垂直方向下方に円柱状に形成された穴である。この上部開口８は、水受けカップ４が挿入できる直径と深さを有している。また、この上部開口８は、この内部に直接水を入れ、花束を生けることも可能である。
【００１７】
水受けカップ４はステンレス製であり、上部が広がった拡径部であり、上部から下部に向けて直径が徐々に小さくなるようにテーパが付いている。このため、複数の水受けカップを重ねて組み合わせることができ、重ねた状態で上部の拡径部がずれるようにテーパが付けられ、重なった複数の水受けカップを容易に外すことができる構成となっている。したがって、重ねた状態で、１番上の水受けカップのみを使用して花束を生けることが可能である。
【００１８】
本実施形態の花立て１では、本体ブロック７の上面は水平面に形成され、上面にベース板２が固定されている。ベース板２はステンレス鋼等の防錆材で形成することが好ましく、例えば厚さが４〜５ｍｍ程度の正方形に形成され、本体ブロック７の上面に接着されている。そして、正方形のベース板２の中心には円形の貫通孔２ａが形成され、この貫通孔の直径は本体ブロック７の上部開口８の直径と同じに設定され、水受けカップ４を保持できるようにその孔径が設定されている。
【００１９】
ベース板２の上面には、別の水受けカップを受けるための受け板３が位置している。この受け板３もステンレス鋼等の金属板材で形成され、平面形状は菱形の各コーナー部を丸めた形状、あるいは楕円形状等で形成されている。受け板３には中央に受け孔３ａが形成されており、この受け孔の直径も上部開口８の直径、ベース板２の貫通孔２ａの直径と同じに設定されている。そして、上部開口８とベース板２の貫通孔２ａ及び受け板３の受け孔３ａは同じ中心であり、上部開口８、貫通孔２ａ及び受け孔３ａが上下に並んだ状態となっている。
【００２０】
受け板３は前記のようにベース板２に対して旋回移動可能に支持されている。すなわち、ベース板２の側部と受け板３の側部との間の軸部５を中心として、受け板３は水平方向に旋回でき、３６０度の旋回が可能となっている。軸部５は図４に詳細に示すように、下方に位置するベース板２には下面に座ぐりした連結孔２ｂが形成され、上方に位置する受け板３には上面に座ぐりした連結孔３ｂが形成され、２つの連結孔を貫くように、下方から鍔つきのナット５ａが挿入され、上方から鍔つきのボルト５ｂが螺合され、ベース板２に対して受け板３が旋回可能に支持されている。ベース板２、受け板３、及び軸部５は支持する水受けカップ４と、カップ内に注入される水、及び花束を支持するために必要な強度を備えている。
【００２１】
花立て１は、本体ブロック７の上部開口８とベース板２の貫通孔２ａ、及び受け板３の受け孔３ａを通して嵌合する位置決め用の筒体６を備えている。筒体６はステンレス鋼等の金属板材をプレス等で成形したものであり、上部は水受けカップ４を受け入れるリング部となっており、下部は受け板３の受け孔３ａ、ベース板２の貫通孔２ａ、上部開口８の内部に嵌合する筒状に形成されている。すなわち、前記した上部開口８と貫通孔２ａ及び受け孔３ａの直径より小さい外径の筒状となっており、筒体６を貫通して挿入することにより、受け板３の旋回を阻止して、ベース板２に保持することができる構成となっている。
【００２２】
前記の如く構成された本実施形態の花立ての動作について以下に説明する。花立て１は通常の状態では、本体ブロック７の上部に固定されたベース板２と受け板３とが重なった状態で、上部開口８、ベース板２の貫通孔２ａ、受け板３の受け孔３ａが上下に並んで筒体６が挿入され、受け板３が旋回できない状態に保持されている。そして、筒体６を通して本体ブロック７の上部開口８内部に、重ねられた２つの水受けカップ４，４が挿入されている。この状態では、花束は重ねられた水受けカップ４，４の上方のカップに供えられる。
【００２３】
例えば、墓参りに別の人が来たときには、重ねられた水受けカップ４，４を取り外し、ベース板２と重ねた状態で受け板３を保持している筒体６を上方に持ち上げて外す（図５参照）。受け板３は保持状態が解除されるため、旋回させることが可能となるので、受け板３を軸部５を中心として１８０度旋回させ、ベース板２の外側に突出させる。このあと、ベース板２の貫通孔２ａ内に筒体６を戻し、筒体６内に水受けカップ４を挿入して１つの花束を生ける。また、旋回させた受け板３の受け孔３ａ内に別の水受けカップ４を挿入して支持させ、２つ目の花束を生けることができる。なお、受け板３の旋回範囲は３６０度の範囲で自由であり、任意の位置まで旋回させ停止させることができる。
【００２４】
花立て１はベース板２に対して軸部５を軸として旋回させる受け板３は板材で形成されているため重量が小さく、軽い旋回力で容易に旋回させることができる。また、通常時に受け板３は筒体６で保持されており、旋回することが阻止されているため、受け板３が誤って移動することがなく、花立て１は安定している。さらに、受け板３を旋回移動させる軸部５は構成が簡単であり、作動状態が安定して故障することが少ない。
【００２５】
また、本発明に係る花立て１は、図６に示すように、旋回させる受け板３に連続して、別の受け板３Ａをさらに連結し、合計３つの水受けカップを装着して花束を生けるように構成することもできる。この場合、ベース板２と受け板３とを連結する軸部５と、受け板３と他の受け板３Ａとを連結する軸部５Ａは同様の構成とすることができる。
【００２６】
本発明の他の実施形態を図７〜１１に基づき詳細に説明する。図７は本発明に係る花立ての他の実施形態の平面図、図８はその正面図、図９は本体ブロックから第１の受け板を移動させる第１の蝶番を示し、図１０は同様に第２の蝶番を示す断面図であり、図１１は動作状態を示す斜視図である。なお、この実施形態の花立て１１は、前記した実施形態の花立て１に対し、２つの受け板を蝶番で連結して回動させることを特徴とする。そして、他の実質的に同等の構成については同じ符号を付して詳細な説明は省略する。
【００２７】
この実施形態の花立て１１は、上部開口８を形成した本体ブロック７は前記実施形態と同じ構成となっている。この花立て１１の特徴構成は本体ブロック７の上面に固定したベース板１２と、このベース板に移動可能に連結される受け板が異なるものである。本体ブロック７に固定されるベース板１２は、図７に示されるように正方形であり、左辺と下辺に蝶番が固定され、図８に示されるように下方受け板１３が蝶番１４で移動可能に連結され、上方受け板１５が蝶番１６で移動可能に連結されている。
【００２８】
蝶番１４は図９に詳細に示されるように、本体ブロック７に固定されたベース板１２に、下方受け板１３を移動可能に連結するものであり、両板材の端部近傍の対向する面に横方向の凹みを形成し、この凹み内に蝶番１４の翼片を挿入してねじ止めしており、蝶番１４の中心軸の軸芯が２つの板材１２，１３の端面と一致しており、２つの板材の対向面が軸芯と一致するように設定されている。このため、下方受け板１３を１８０度回動させたとき、下方受け板１３の端面が板材１２の端面と当接するように構成されている。
【００２９】
また、蝶番１６は図１０に詳細に示されるように、本体ブロック７に固定されたベース板１２に、下方受け板１３を挟んで上方受け板１５を移動可能に連結するものであり、３枚の板材が重ねられた状態で面接触するように設定されている。すなわち、２つの板材１２，１５の端面に縦方向の凹みを形成し、この凹み内に蝶番１６を縦方向に設置しねじ止めにより固定している。蝶番１６の中心軸の軸芯が２つの板材１２，１５の端面と一致するように設定されている。このため、上方受け板１５を１８０度回動させたとき、上方受け板１５の端面が板材１２の端面と当接するように構成されている。
【００３０】
ベース板１２には本体ブロック７の上部開口８と同じ直径の貫通孔１２ａが形成され、下方受け板１３には同じ直径の受け孔１３ａが形成され、上方受け板１５にも同じ直径の受け孔１５ａが形成されている。これらの貫通孔及び受け孔には、前記の実施形態と同様に筒体１７の下方に延出する筒状部が挿入できる構成となっている。そして、筒体１７の筒状部内部には水受けカップ４が挿入され、カップの上部は外径の大きい拡径部であり、この拡径部が受け板１３，１５の受け孔１３ａ，１５ａに係合して水受けカップ４を支持できる構成となっている。
【００３１】
この実施形態においては、花立て１１は３つの花束を供えることができる。すなわち、図８の３つの花受けカップ４が重ねられた状態から、３つの花受けカップを外し、筒体１７を外す。これによりベース板１２の上部に位置する下方受け板１３と上方受け板１５はフリーの状態となるので、先ず上方受け板１５を蝶番１６を中心として上方に持ち上げ、１８０度回動させると、図１０（ｂ）に示すように、蝶番近傍の板材端面同士が当接してストッパとなり、上方受け板１５は反転して水平状態となる。この状態で、２つの花束を生けることができる状態となる。
【００３２】
前記のように、上方受け板１５を回動させると、下方受け板１３が露出する。この下方受け板１３を蝶番１４を中心として回動させる。蝶番１４の中心軸とベース板１２の上面及び下方受け板１３の下面とが一致しているため、下方受け板１３を１８０度回動させると、図９（ｂ）に示すように、蝶番近傍の板材１２の端面と下方受け板１３の端面とが当接してストッパとして機能するため、下方受け板１３は水平状態となる。この状態では、上方受け板１５の受け孔１５ａと、下方受け板１３の受け孔１３ａの両方に水受けカップ４を挿入して、３つの花束を生けることができる。
【００３３】
この実施形態においても、ベース板１２の上部に移動可能に連結支持された下方受け板１３及び上方受け板１５は軽量であるため、回動動作が容易に行える。また、２枚の受け板１３，１５を回動させる構成は蝶番１４，１６のみであり、構成が簡単なため、故障等が発生しにくく、動作が安定している。蝶番１６を固定しているベース板１２と上方受け板１５は、その端面同士が当接することで、回動範囲が規制され、ベース板１２に対して上方受け板１５が水平状態に位置決めされる。このため、特別のストッパ機構が必要なく、簡単な構成とすることができる。また、蝶番１４を固定しているベース板１２と下方受け板１３も、その端面同士が当接することで、回動範囲が規制され、ベース板１２に対して下方受け板１３が水平状態に位置決めされるため、特別のストッパ機構が必要なく、簡単な構成とすることができる。
【００３４】
さらに、本発明の第３の実施形態について、図１２，１３を参照して説明する。この実施形態の花立て２１は、前記した第２の実施形態の花立て１１の変更例であり、本体ブロック７に固定されたベース板２２に移動可能に下方受け板２３が蝶番２４で連結され、上方受け板２５が蝶番２６で移動可能に連結されている。蝶番２４，２６は正方形状のベース板２２の対向する２辺に固定されており、前記の実施形態の下方受け板１３と上方受け板１５が直角方向に移動するように構成されているのに対して、対向する方向に移動するように構成されている。
【００３５】
この実施形態の花立て２１では、上方の受け板２５を蝶番２６を中心として左方向に回動させて水平状態とし、次いで下方の受け板２３を蝶番２４を中心として右方向に回動させて水平状態とすることができる。そして、それぞれの受け板２３，２５の受け孔２３ａ，２５ａに水受けカップ４を挿入すると共に、中央のベース板２２の貫通孔２２ａと連続する上部開口８に筒体２７を挿入してから水受けカップ４を挿入して、３つの水受けカップに花束を生けることができる。この実施形態の花立て２１では、３つの花束が重なることがなく広げて並べることができ、装飾性を高めることができる。
【００３６】
前記した各実施形態の花立て１，１１，２１は、例えば、図１４に示すように、墓３０の前部に設置される。墓３０の前部中央には線香立て３１が設置され、その両側に花用の石製ブロック３２，３２の上に一対の花立てが設置されるとき、本発明の花立て１，１１，２１を設置すると、必要に応じて多数の花束を生けることができる。上部開口を有する既成の石のブロックに、ベース板２，１２，２２と、このベース板に移動可能に支持された受け板３，１３，１５，２３，２５を有する花立て１，１１，２１を固着することもできる。
【００３７】
以上、本発明の実施形態について詳述したが、本発明は、前記の実施形態に限定されるものではなく、特許請求の範囲に記載された本発明の精神を逸脱しない範囲で、種々の設計変更を行うことができるものである。例えば、本体ブロックは石製の例を示したが、これに限られるものでなく、コンクリート製、樹脂製、陶器製等、適宜のものを使用することができる。
【００３８】
また、水受けカップは金属製の例を示したが、樹脂製や陶器製等、適宜の材質を用いることができる。本体ブロックへのベース板の固定は接着剤に限られるものでなく、ビス止め、粘着材による固定等、変更することができる。さらに、複数の受け板を本体ブロックに対して移動させる手段として、軸部を中心に旋回させる構成と、蝶番による構成を示したが、他のヒンジ機構等により移動させるように構成してもよい。
【産業上の利用可能性】
【００３９】
本発明の活用例として、この花立てを用いて墓以外の種々の花立てに使用することができ、例えば店舗等の装飾用の花立てや、斎場等の献花を生ける大型の花立ての用途にも適用できる。
【符号の説明】
【００４０】
１，１１，２１：花立て、２：ベース板、２ａ：貫通孔、３：受け板、３ａ：受け孔、４：水受けカップ、５：軸部、６：筒体、７：本体ブロック、８：上部開口、１２：ベース板、１２ａ：貫通孔、１３：下方受け板、１３ａ：受け孔、１４，１６：蝶番、１５：上方受け板、１５ａ：受け孔、１７：筒体、２２：ベース板、２２ａ：貫通孔、２３：下方受け板、２３ａ：受け孔、２４，２６：蝶番、２５：上方受け板、２５ａ：受け孔、２７：筒体
【図１】
0005474702.tif 000002
【図２】
0005474702.tif 000003
【図３】
0005474702.tif 000004
【図４】
0005474702.tif 000005
【図５】
0005474702.tif 000006
【図６】
0005474702.tif 000007
【図７】
0005474702.tif 000008
【図８】
0005474702.tif 000009
【図９】
0005474702.tif 000010
【図１０】
0005474702.tif 000011
【図１１】
0005474702.tif 000012
【図１２】
0005474702.tif 000013
【図１３】
0005474702.tif 000014
【図１４】
0005474702.tif 000015